(57)【要約】【課題】雄型端子に接触させる弾性アームを有する雌型端子において、過大な接触圧が生じることを防止しかつ小型化を促進する。【解決手段】矩形箱状のハウジング部の底壁部の一方の側縁で曲折されかつ起立状態の第１壁部と、第１壁部にたいしてＬ字状に曲折された第２壁部とを有し、第１壁部から雄型端子の挿抜方向に延出しかつ接点部を有する第１アームと、第２壁部から第１アームに沿うように延出する第２アームとを設け、両アームの延出方向端部同士をＬ字状接続片により接続する。第２アームの外側を、底壁部の他方の側縁から起立した第３壁部から曲折された第４壁部により覆い、第１アームは開放する。大きく変位しても過大な接触圧が生じることがなく、めっきの剥れが生じることを防止できるとともに、雌型端子の幅方向の寸法を低減でき、コネクタのコンパクト化を促進し得る。【選択図】図１
2014222650.tif 000002
【特許請求の範囲】
【請求項１】
雄型端子を挿抜可能に、板材を曲成して箱状に形成されたハウジング部を有する雌型端子であって、
前記ハウジング部は、底壁部と、前記底壁部の一方の側縁で曲折されて起立する第１壁部と、前記底壁部と対峙するように前記第１壁部から曲折された第２壁部と、前記底壁部の他方の側縁で曲折されて起立する第３壁部と、前記第２壁部を覆うように前記第３壁部から曲折された第４壁部と、前記雄型端子の挿抜方向に延在するように前記第１壁部から延出されかつ接点部を有する弾性変形可能な第１アームと、前記第１アームに沿うように前記第２壁部から延出されかつ延出方向端部にて前記第１アームの延出方向端部と結合される弾性変形可能な第２アームとを有し、
前記第４壁部は、前記第２アームの前記ハウジング部の外側を覆うように設けられ、
前記第１アームは、前記ハウジング部の外側に対して開放されていることを特徴とする雌型端子。
【請求項２】
前記第１アームが、前記第１壁部の外壁面の延長面よりも前記ハウジング部の内側に向けて斜めに延出され、
前記第４壁部から前記第１アームと前記第２アームとの間に入り込むように延出されかつ前記延長面上に位置する舌片が設けられていることを特徴とする請求項１に記載の雌型端子。
【請求項３】
前記底壁部と前記第１壁部と前記第２壁部と前記第３壁部とにより矩形閉断面が形成されていることを特徴とする請求項１または請求項２に記載の雌型端子。
【発明の詳細な説明】
【技術分野】
【０００１】
本発明は、雄型端子と結合される雌型端子に関するものである。
【背景技術】
【０００２】
従来、ピン状に形成された部分を有する雄型端子と、雄型端子を挿抜可能な形状に形成されかつ雄型端子の外周面にばね力で接触させるために弾性変形可能なアームを有する雌型端子を用いたコネクタがある。その雌型端子において、先端部分で繋がっているとともにＬ形状の断面を構成する接触アームと連動アームとを設け、連動アームが、接触アームの側方を保護する保護アームの機能を有することにより、端子を小型化できるとしたものがある（例えば特許文献１参照）。
【先行技術文献】
【特許文献】
【０００３】
【特許文献１】特許第４５１４６４５号公報
【発明の概要】
【発明が解決しようとする課題】
【０００４】
しかしながら、上記特許文献１のものでは、雄型端子の挿入時に接触アームが変位する方向となる接触アームの背面側にも保護アームが設けられており、例えば雄型端子が挿入されて接触アームが保護アームに当たるまで変位してしまうような場合には、接触アームがそれ以上変位できなくなるため過大な接触圧が生じる。接触圧が過大な状態で雄型端子の挿抜を行うと、めっきが施された端子の場合にはそのめっきが剥がれるという問題が生じる。また、保護アームの厚さ分だけ雌型端子の外形が大きくなり、コネクタのコンパクト化が困難であるという問題がある。
【課題を解決するための手段】
【０００５】
このような課題を解決して、雄型端子に接触させるアームを有する雌型端子において、過大な接触圧が生じることを防止しかつ小型化を促進するために、本発明に於いては、雄型端子を挿抜可能に、板材を曲成して箱状に形成されたハウジング部を有する雌型端子であって、前記ハウジング部は、底壁部と、前記底壁部の一方の側縁で曲折されて起立する第１壁部と、前記底壁部と対峙するように前記第１壁部から曲折された第２壁部と、前記底壁部の他方の側縁で曲折されて起立する第３壁部と、前記第２壁部を覆うように前記第３壁部から曲折された第４壁部と、前記雄型端子の挿抜方向に延在するように前記第１壁部から延出されかつ接点部を有する弾性変形可能な第１アームと、前記第１アームに沿うように前記第２壁部から延出されかつ延出方向端部にて前記第１アームの延出方向端部と結合される弾性変形可能な第２アームとを有し、前記第４壁部は、前記第２アームの前記ハウジング部の外側を覆うように設けられ、前記第１アームは、前記ハウジング部の外側に対して開放されているものとした。
【０００６】
これによれば、板材を曲成して箱状に形成されたハウジング部を有する雌型端子において、底壁部の一方の側縁で曲折されて起立する第１壁部から雄型端子の挿抜方向に延在するように延出された第１アームを設け、第１アームに接点部を設けるとともに第１アームのハウジング部外側を開放したことから、ハウジング部に挿入された雄型端子により第１アームの接点部がハウジング部の外側に押し出される向きに変位する場合に、その変位方向に対して第１アームは自由に変形し得る。これにより、雄型端子との間で過大な接触圧が生じることがないため、例えば端子にめっきが施されている場合のめっきの剥れを防止し得るばかりでなく、第１アームの外側に保護壁を設けるものに対して雌型端子の幅方向の寸法を低減でき、コネクタのコンパクト化を促進し得る。
【０００７】
また、第１壁部から曲折された第２壁部が設けられ、その第２壁部から第１アームに沿うように第２アームが延出され、その第２アームと第１アームとが互いの延出方向端部同士が結合されていることから、第１アームの変形方向を第２アームにより規制することができ、第１アームの変形方向を安定化することができる。また、底壁部の他の側縁から曲折されかつ第１壁部と対峙するように起立する第３壁部が設けられ、その第３壁部から曲折された第４壁部により第２アームの外側を覆うことにより、第２アームを保護するとともに第２アームの外側への変位を規制することができ、それにより第１アームの変位方向をより確実に規制することができる。
【０００８】
特に、前記第１アームが、前記第１壁部の外壁面の延長面よりも前記ハウジング部の内側に向けて斜めに延出され、前記第４壁部から前記第１アームと前記第２アームとの間に入り込むように延出されかつ前記延長面上に位置する舌片が設けられているとよい。これによれば、第４壁部から延出された舌片により、第１アームと第２アームとの間の空間を塞ぐことができ、その空間に異物が混入することを防止できる。また、第１壁部の外壁面の延長面に対して第１アームがハウジング部の内側に入り込んでいることから、外側から第１アームに衝当しようとする異物を舌片により阻止することができる。
【０００９】
また、前記底壁部と前記第１壁部と前記第２壁部と前記第３壁部とにより矩形閉断面が形成されているとよい。これによれば、第３壁部から曲折された第４壁部を第２壁部に対して重ねる形状を容易に形成することができ、第４壁部により第２アームの外側を容易かつ確実に覆うことができる。
【発明の効果】
【００１０】
このように本発明によれば、板材を曲成して箱状に形成されたハウジング部を有する雌型端子において、ハウジング部を形成する底壁部の一方の側縁で曲折されかつ起立状態の第１壁部から延出しかつ接点部を有する第１アームと、第１壁部に対して曲折された第２壁部から延出する第２アームとを設け、両アームの延出端部同士を結合し、第２アームの外側を底壁部の他方の側縁で曲折されかつ起立状態の第３壁部から曲折された第４の壁部により覆い、第２アームを保護し、第１アームは開放したことから、第１アームの雄型端子との接触による変形方向が開放されるため、大きく変位しても過大な接触圧が生じることがなく、めっきの剥れが生じることを防止できるとともに、雌型端子の幅方向の寸法を低減でき、コネクタのコンパクト化を促進し得る。
【図面の簡単な説明】
【００１１】
【図１】本発明に基づく雌型端子の全体斜視図である。
【図２】図１の矢印II方向から見た上面図である。
【図３】図２の矢印III方向から見た左側面図である。
【図４】図２の矢印IV方向から見た右側面図である。
【図５】第４壁部４ｅを取り除いた状態を示す図１に対応する図である。
【図６】（ａ）は図２のVIａ−VIａ線で矢印方向に見た断面図であり、（ｂ）は、図２のVIｂ−VIｂ線で矢印方向に見た断面図であり、（ｃ）はVIｃ−VIｃで示した線で矢印方向に見た断面図である。
【図７】雄型端子との結合状態を示す図６（ｃ）に対応する図である。
【発明を実施するための形態】
【００１２】
以下、本発明の実施の形態を、図面を参照しながら説明する。図１は、本発明に基づく雌型端子の全体斜視図である。図２は、図１の矢印II方向から見た上面図であり、図３は、図２の矢印III方向から見た左側面図であり、図４は、図２の矢印IV方向から見た右側面図である。
【００１３】
雌型端子１は、板材から所定の形状に切り出された素材の所定の各部分を曲成して図１に示される形状に形成される。雌型端子１には、図１に示されるように雄型端子３が挿入される矩形箱状のハウジング部４と、ケーブル５の芯線を圧着固定するための一対の芯線固定片６ａと、ケーブル５の被覆を圧着固定するための一対の被覆固定片６ｂとが図に示される前後方向に直列に設けられている。なお、以下の説明において、各部分の位置関係を便宜的に図１の前後・上下・左右に基づいて述べるものとする。
【００１４】
雌型端子１は、雄型端子３が挿入される前側から、ケーブル５を支持する各固定片６ａ・６ｂが設けられている後側部分まで細長く延在する略平坦状の底壁部４ａを有する。各一対の芯線固定片６ａと被覆固定片６ｂとは、底壁部４ａの左右両側縁で上側に曲折されかつ起立するように形成されている。
【００１５】
ハウジング部４の後側部分には、底壁部４ａの左側縁で立設するように底壁部４ａに対して曲折された第１壁部４ｂと、第１壁部４ｂの上縁で底壁部４ａと平行になるように第１壁部４ｂに対して曲折された第２壁部４ｃとにより、Ｌ字状断面形状の壁部が形成されている。また、底壁部４ａの第１壁部４ｂとは反対側となる右側縁側には、底壁部４ａの右側縁で立設するように底壁部４ａに対して曲折された第３壁部４ｄと、第３壁部４ｄの上縁から第２壁部４ｃの上面に積層状態になるように第３壁部４ｄに対して曲折された第４壁部４ｅとが形成されている。
【００１６】
上記した底壁部４ａと第１壁部４ｂと第２壁部４ｃと第３壁部４ｄとにより、矩形閉断面の矩形箱状部分がハウジング部４の後部側に形成されている。なお、図示例では、第３及び第４壁部４ｄ・４ｅは、底壁部４ａとともにハウジング部４の前端に至るように、第１及び第２壁部４ｂ・４ｃの延在方向長さ（ハウジング部４の軸線方向長さ）よりも長く形成されている。
【００１７】
ハウジング部４の前端部分には、底壁部４ａの左側縁で立設するように底壁部４ａに対して曲折された前端部左側壁部４ｆが設けられている。この前端部左側壁部４ｆと、上記したようにハウジング部４の前端部までそれぞれ延在している底壁部４ａと第３及び第４壁部４ｄ・４ｅとにより、矩形状の端子挿入口４ｇが形成されている。
【００１８】
ハウジング部４の左側面において、第１壁部４ｂと前端部左側壁部４ｆとの間には、第１壁部４ｂの前縁部分から前方に向けてハウジング部４の軸線方向(前後方向)に延出された第１アーム７が設けられている。第１アーム７は、第１壁部４ｂにより片持ち支持された状態に設けられ、延出方向に長い板状に形成されている。第１アーム７は、第１壁部４ｂと同じ厚さであり、その厚さよりも第１壁部４ｂの立設方向に長い横幅を有する断面形状に形成されていることにより、ハウジング部４の左右方向に変位容易である。
【００１９】
そして、第１アーム７は、第１壁部４ｂからハウジング部４の内側に向けて斜めに入り込むように延出されている。第１アーム７の前側部分には、第１アーム７の外面（ハウジング部４の外側に臨む面）からのプレス加工によりハウジング部４の内部に突出するドーム状の接点部７ａが設けられている。
【００２０】
このように形成された第１アーム７は、端子挿入口４ｇから挿入される雄型端子３の側面に接点部７ａが摺接することにより、接点部７ａがハウジング部４の左側方に変位するように弾性変形する。
【００２１】
また、図１の第４壁部４ｅを取り除いた状態の図５に示されるように、第２壁部４ｃと端子挿入口４ｇとの間には、第２壁部４ｃの前縁部分から前方に向けてハウジング部４の軸線方向(前後方向)に延出された第２アーム８が設けられている。第２アーム８も、第２壁部４ｃにより片持ち支持された状態に設けられている。そして、第１アーム７と第２アーム８との各前端部同士がＬ字状に曲折された接続片９を介して互いに結合されている。第２アーム８も、その前側部分がハウジング部４の内側に斜めに入り込むように曲成されている。
【００２２】
なお、第３壁部４ｄには、第３壁部４ｄの一部を板状に切り出してハウジング部４の内側に突出させるようにして形成されたガイド部１１が設けられている。ガイド部１１は、第１アーム７に対峙しかつ第１アーム７の延出方向に延在している。
【００２３】
また、第１アーム７と第２アーム８との間の空間には、第４壁部４ｅの側縁で曲折されて第１アーム７に向けて延出された舌片としての保護片１２が突入するように設けられている。保護片１２は、第１壁部４ｂの外面に連続する略同一面を形成するように設けられている。上記したように、第１アーム７は第１壁部４ｂからハウジング部４の内側に向けて斜めに入り込むように延出されており、例えば第１壁部４ｂの外側に異物がある場合に、その異物が第１アーム７に直接当たることを保護片１２により防止することができる。
【００２４】
上記した前端部左側壁部４ｆには、その上下方向の中間部をハウジング部４の内側に突出させかつ雄型端子３の挿抜方向に延在するように形成された突条部４ｈが設けられている。突条部４ｈの突出量は、端子挿入口４ｇ側から見て第１アーム７の前端部と重なる程度である。これにより、雄型端子３の挿入時に、第１アーム７の前端部に雄型端子３の挿入方向端部が衝当して、第１アーム７を曲げてしまう不具合を防止することができる。
【００２５】
また、端子挿入口４ｇの上側部分には、第４壁部４ｅの前側（ハウジング部４の前側）部分を下方に曲成して形成された上部ガード片４ｉが、端子挿入口４ｇの軸線方向前側から見て第２アーム８を隠すように設けられている。この上部ガード片４ｉにより、端子挿入口４ｇから挿入される雄型端子３の挿入方向端部を第２アーム８の先端に対して逃がすようにガイドすることができ、上記と同様に、雄型端子３の挿入時に、第２アーム８の前端部に雄型端子３の挿入方向端部が衝当して、第２アーム８を曲げてしまう不具合を防止することができる。
【００２６】
図６（ａ）・（ｂ）・（ｃ）は、それぞれ図２のVIａ−VIａ・VIｂ−VIｂ・VIｃ−VIｃで示した線で矢印方向に見た断面図である。図６（ａ）に示されるように、第４壁部４ｅの第３壁部４ｄ側の一部に切り込みを入れて形成された係合片４ｊが設けられ、第２壁部４ｃの縁部の一部を切り欠いて形成された凹部４ｋが設けられ、係合片４ｊは、凹部４ｋに突入するように第４壁部４ｅからハウジング部４の内側に向けて曲折されている。係合片４ｊと凹部４ｋとの係合により、ハウジング部４の矩形箱状が保持される。
【００２７】
このようにして構成された雌型端子１に雄型端子３が端子挿入口４ｇから挿入されると、ガイド部１１により右側が規制されるため、雄型端子３のガイド部１１とは反対側が接点部７ａと摺接する。第１アーム７は、雄型端子３により押されて、ハウジング部４の外側に変位する。上記したように第１アーム７と第２アーム８との各前端部同士が接続片９を介して互いに結合されていることから、第１アーム７の前端部の変位に伴って第２アーム８も変位する。
【００２８】
なお、第４壁部４ｅが矢印Ａ方向に延在していることから、何等かの原因により第４壁部４ｅに当接する向きに第２アーム８が変位しようとしても、第４壁部４ｅにより第２アーム８の変位方向が矢印Ａ方向に規制される。これにより、第１アーム７を矢印Ａ方向に確実に変位させることができ、接点部７ａと雄型端子３との接触位置のずれを防止でき、雌型端子１と雄型端子３との接触状態を安定化し得る。
【００２９】
ハウジング部４に挿入された雄型端子３と雌型端子１とが結合状態になると、第１アーム７及び第２アーム８は、図６（ｃ）に対応する図７に示されるようになる。第１アーム７は、図６（ｂ）に示されるように雄型端子３との接触により押し出される方向（矢印Ａ）が素材の板厚であり、その押し出される方向に直交する方向の幅が板厚よりも長く形成されている。これにより、第１アーム７は押し出される方向に変形し易く、接点部７ａを適度な接触圧で雄型端子３に接触させることができる。
【００３０】
一方、例えば第１アーム７の外側に保護部材が配設されていると、加工誤差により雄型端子３が太くなって第１アーム７が大きく変位しようとする場合には、保護部材からの圧力を受けて接点部７ａと雄型端子３との接触圧が高くなり過ぎるという問題が生じる。それに対して、第１アーム７の押し出される方向（矢印Ａ）が開放されていることから、そのような場合でも接点部７ａと雄型端子３との接触圧が高くなり過ぎることがない。
【００３１】
また、第１アーム７の延出方向端部と第２アーム８の延出方向端部とが接続片９を介して互いに一体に接続されていることから、第１アーム７の矢印Ａとは異なる向きの変位を第２アーム８により規制することができる。これにより、第１アーム７の変位時のねじれが抑制され、接点部７ａを常に略同一方向から安定した状態で雄型端子３に押し当てることができる。
【００３２】
以上、本発明を、その好適実施形態の実施例について説明したが、当業者であれば容易に理解できるように、本発明はこのような実施例により限定されるものではなく、本発明の趣旨を逸脱しない範囲で適宜変更可能である。例えば、第３壁部４ｄは、雄型端子３の挿抜方向（ハウジング部４の軸線方向）に対して第１壁部４ｂ及び第２壁部４ｃと同程度の長さで設けられていてよく、第４壁部４ｅの一部が第２アーム８の外側を平面視で覆うように形成されていてよい。これにより、より一層のコンパクト化が可能となる。また、上記実施形態に示した構成要素は必ずしも全てが必須なものではなく、本発明の趣旨を逸脱しない限りにおいて適宜取捨選択することが可能である。
【符号の説明】
【００３３】
１  雌型端子
３  雄型端子
４  ハウジング部
４ａ  底壁部、４ｂ  第１壁部、４ｃ  第２壁部、４ｄ  第３壁部、４ｅ  第４壁部
７  第１アーム、７ａ  接点部
８  第２アーム
９  接続片
１２  保護片
【図１】
2014222650.tif 000003
【図２】
2014222650.tif 000004
【図３】
2014222650.tif 000005
【図４】
2014222650.tif 000006
【図５】
2014222650.tif 000007
【図６】
2014222650.tif 000008
【図７】
2014222650.tif 000009